(57)【特許請求の範囲】
【請求項１】
表示画面を備えたモニタユニットと、
前記表示画面を制御する制御部を有し、その前後方向の前部の一部が着脱可能なキーボードとして形成されるとともに、当該前部の他の部分には、当該制御部を駆動する電源となるバッテリーが収容可能とされる本体ユニットと、
前記本体ユニットに対し前記モニタユニットを接続するアーム部と、
前記本体ユニットの前後方向の中央部に取り付けられ、当該本体ユニットおよび前記アーム部を接続する第１のヒンジと、
前記モニタユニットの下端縁に取り付けられ、前記アーム部および前記モニタユニットを接続する第２のヒンジとを備え、
前記アーム部が前記本体ユニット側に折り畳まれることにより、前記第２のヒンジが前記本体ユニットの前後方向の後部に位置し、且つ、前記第１のヒンジが当該第２のヒンジよりも前記前部側に配置される第１の状態と、
前記アーム部が前記本体ユニット側から立ち上げられることにより、前記第２のヒンジが前記第１の状態よりも高い位置とされ、且つ、当該第２のヒンジが前記第１のヒンジより前記前部側に配置される第２の状態と
に設定可能とされていることを特徴とするコンピュータ装置。
【請求項２】
前記アーム部は、板状の形状を有して前記本体ユニットの前後方向に直交する方向の中央部に配置され、
前記本体ユニットの上面後部には、前記アーム部を収納するための凹部が形成され、
前記第１の状態では、前記アーム部が折り畳まれて前記凹部に収納されることで前記第１のヒンジが回動不能とされる一方で、前記第２のヒンジが回動可能とされることを特徴とする請求項１記載のコンピュータ装置。
【請求項３】
前記第２の状態では、前記アーム部が前記凹部から取り出され、前記第１のヒンジおよび前記第２のヒンジが回動可能とされることを特徴とする請求項２記載のコンピュータ装置。
【請求項４】
表示画面を備えたモニタユニットと、
前記表示画面を制御する制御部を有し、その前後方向の前部の一部が着脱可能なキーボードとして形成されるとともに、当該前部の他の部分には、当該制御部を駆動する電源となるバッテリーが収容可能とされる本体ユニットと、
前記本体ユニットに対し前記モニタユニットを接続するアーム部と、
前記本体ユニットの前後方向の中央部に取り付けられ、当該本体ユニットおよび前記アーム部を接続する第１のヒンジと、
前記モニタユニットの下端縁に取り付けられ、前記アーム部および前記モニタユニットを接続する第２のヒンジとを備え、
前記第１のヒンジおよび前記第２のヒンジを回動させることにより当該第２のヒンジが当該第１のヒンジよりも高い位置に設定され、且つ、当該第２のヒンジが当該第１のヒンジよりも前記前部側に配置される状態において、前記モニタユニットの重心位置が当該本体ユニットの前後方向の前端と後端との間にあることを特徴とするコンピュータ装置。
【請求項５】
前記本体ユニットは、当該本体ユニットの前後方向の後部の端面にデータを入出力するためのコネクタが配列されていることを特徴とする請求項４記載のコンピュータ装置。
【発明の詳細な説明】
【０００１】
【発明の属する技術分野】
本発明は、コンピュータ装置に関し、特にユーザによるモニタの見易さを向上させたものに係る。
【０００２】
【従来の技術】
周知のように、一般的なノートブック型ＰＣ(Personal Computer)においては、キーボードを備えた本体部に対して、液晶モニタユニットが開閉可能に取り付けられており、このため、ユーザ使用時における液晶モニタユニットの高さ位置が下方に制限され、ユーザによるモニタの見易さが損なわれる場合がある。こうした問題を解決するために、液晶モニタユニットの位置をより高くできるようにした、図１０のようなノートブック型ＰＣ１が提案されている。このノートブック型ＰＣ１は、その本体部２に対してモニタ部３が開閉可能に取り付けられるとともに、本体部２の前部４と後部５とが分離可能に連結された構成となっている。そして、本体部２の後部５の上面５ａが着脱可能なキーボード６として形成されている。
【０００３】
このような構成のノートブック型ＰＣ１は、図１０に示すような、一般的なノートブック型ＰＣと同様の使い方が可能であるが、図１１に示すように、キーボード６を取り外すとともに、その本体部２の後部５を立ち上げることにより、モニタ部３の位置を図１０に示した状態に比較して上方に持ち上げて使用することもできる。これにより、モニタ部３の可動範囲が上方に拡大され、ユーザの使い勝手を向上することができる。
【０００４】
【発明が解決しようとする課題】
しかしながら、図１０、図１１に示したようなノートブック型ＰＣ１では、図１１のようにモニタ部３の位置を上方に持ち上げた際に、安定性が低下するという問題点がある。また、図１１に示した状態において、ユーザがモニタ部３の角度を調整する際には、モニタ部３の下端に設けられたヒンジ８を介して本体部２にモーメントが作用することとなるが、特に、モニタ部３を図１１中矢印Ａ方向に回動させる場合、本体部２には、その前端部２ａを持ち上げる方向にモーメントが作用する。このとき、本体部２を手で押さえながらモニタ部３の回動操作を行う必要があることも考えられ、この場合には、ユーザによる操作性が低下してしまう。
【０００５】
また、このノートブック型ＰＣ１においては、本体部２の後部５が立ち上がった状態で使用されるために、本体部２の後端面２ｂ（図１１参照）に対してコネクタ類を配列して使用することが困難となる。このため、図中に示すように、コネクタ類を本体部２の側端面２ｃ（図１１参照）に対して設ける必要があるが、この場合、コネクタ類の設置スペースが小さくなるため、いわゆるレガシーポートと呼ばれる比較的サイズの大きいコネクタ類をノートブック型ＰＣ１に対して設けることが困難となる。
【０００６】
本発明は、このような技術的課題に基づいてなされたもので、ユーザによるモニタの見易さを確保しつつ、コンピュータ装置の安定性を高めることを主たる目的とする。
また、このような場合において、種々のコネクタ類をサポートすることが可能なコンピュータ装置等を提供することを他の目的とする。
【０００７】
【課題を解決するための手段】
かかる目的のもと、本発明のコンピュータ装置は、表示画面を備えたモニタユニットと、表示画面を制御する制御部を内蔵する本体ユニットとを備え、モニタユニットが、本体ユニットの一部にヒンジ部を介して接続され、本体ユニットは、その前部の一部が着脱可能なキーボードとして形成されるとともに、前部の他の部分に、本体ユニットに内蔵すべき各要素のうちの重量物が収容可能とされていることを特徴としている。
【０００８】
このような構成のコンピュータ装置においては、本体ユニットからキーボードを取り外した場合においても、重量物がキーボードを取り外した部分に依然として存在するために、本体ユニットに対してモニタユニットからヒンジ部を介して作用する重力やモーメントに対して、本体ユニットが重量物の重さにより抵抗することが可能である。
なお、ここで重量物とは、本体ユニットに内蔵される、ＣＰＵやファン、ＰＣカードスロット、ハードディスクドライブ、バッテリーユニット等の各要素のうち、比較的重量の大きいものをいい、例えばバッテリーを装着した状態のバッテリーユニット等が好適である。しかしながら、これに代えて、上述したような他の要素を用いてもよい。
【０００９】
また、このような構成のコンピュータ装置においては、ヒンジ部が、本体ユニットの前後方向と交差する方向の軸周りに回動可能なものである場合に、ヒンジ部から作用するモーメントに本体ユニットが良好に対抗することが可能となる。また、キーボードが、本体ユニットの前部の上層部を構成し、重量物が、本体ユニットの前部の下層部に内蔵されていれば、本体ユニットおよび重量物を平面的に見たときに同位置に配置することができ、これによりキーボードを取り外した場合の作用モーメントに対する抵抗性を確保することができる。
【００１０】
また、本発明は次のようなコンピュータ装置の発明としても捉えることができる。すなわち、本発明が適用されたコンピュータ装置は、表示画面を備えたモニタユニットと、表示画面を制御する制御部を有する本体ユニットとを備え、本体ユニットは、その前部の上面に着脱可能なキーボードを備えるとともに、このキーボードを取り外した際に、本体ユニットに内蔵すべき重量物が前部に残留する構成とされ、モニタユニットは、本体ユニットに対して、本体ユニットの前部が持ち上がる方向にモーメントを作用させる位置に移動可能に取り付けられることを特徴としている。
このような構成では、本体ユニットの前部に設けられた重量物によって、本体ユニットの前部が持ち上がる方向のモーメントに抵抗することが可能である。
【００１１】
また、本発明は次のようなコンピュータ装置の発明としても捉えることができる。すなわち、本発明が適用されたコンピュータ装置は、演算処理を行う演算処理部を内蔵する筐体を備えた本体ユニットと、演算処理部の演算結果を表示する表示画面を備えたモニタユニットとを備え、本体ユニットは、その前部側に重心が位置するように、筐体内部の構成要素の平面的配置が行われ、モニタユニットは、表示画面の高さ位置を調整可能な立ち上がり機構を有し、かつ、モニタユニットは、その重心の位置範囲が本体ユニットをその前部から後部に向けて傾斜させるように配置可能とされていることを特徴としている。
また、この場合、本体ユニットは、その後部の端面にデータを入出力するためのコネクタが配列されていることが望ましい。つまり、本発明のコンピュータ装置においては、モニタユニットの高さ位置が調整可能であるにもかかわらず、本体ユニットを折り畳む等の必要がないため、コネクタ類を本体ユニットの後部に配列することができる。
さらに、この場合、立ち上がり機構は、折り畳んだ際に筐体の上面後部に形成された凹部に収容されることが好適である。これにより、キーボードを本体ユニットの前部に配置することができ、このとき、キーボードが取り外し可能であるとしても、本体ユニットの重心が安定した状態となる。
【００１２】
さらに、本発明は次のようなコンピュータ装置の発明としても捉えることができる。
すなわち、本発明が適用されたコンピュータ装置において、モニタユニットは、表示画面が形成されるモニタ部と本体ユニットとを接続するアーム部と、本体ユニットおよびアーム部を接続する第１のヒンジと、アーム部およびモニタ部を接続する第２のヒンジとを有し、本体ユニットは、第１のヒンジの角度および第２のヒンジの角度が変更されアーム部の位置が変更されることによりモニタユニットにおけるモニタ部の位置または角度が変化する状態にて、本体ユニットの端部の浮き上がりを防止することを特徴としている。
このような構成により、モニタユニットのアーム部や第１のヒンジ、第２のヒンジを操作した場合の本体ユニットの端部の浮き上がりが防止される。
【００１３】
また、この場合、本体ユニットの端部には、キーボードが着脱自在に取り付けられ、本体ユニットは、キーボードを取り外した場合に、第１のヒンジの角度および第２のヒンジの角度が変更されアーム部の位置が変更されることによりモニタユニットにおけるモニタ部の位置または角度が変化する状態にて、本体ユニットの端部の浮き上がりを防止することが望ましい。
【００１４】
さらに、本発明は、次のようなコンピュータ装置の発明としても捉えることができる。
すなわち、本発明が適用されたコンピュータ装置において、モニタユニットは、ヒンジ機構を介して本体ユニットに接続され、本体ユニットは、ヒンジ機構と本体ユニットとの接続部の近傍に重量物を内蔵していることを特徴としている。このような構成により、モニタユニットの重量が作用するヒンジ機構と本体ユニットとの接続部と、本体ユニットの重心との距離を近づけることができ、これによって、装置全体の重心の位置を安定させることができる。
【００１５】
また、本発明は次のようなコンピュータ装置の発明としても捉えることができる。
すなわち、本発明が適用されたコンピュータ装置は、表示画面を有するモニタ部と、表示画面を制御する制御部を備えた本体ユニットとを備え、モニタ部および本体ユニットは、その端部が開閉ヒンジを介して開閉可能に結合され、本体ユニットは、本体ユニットを平面視した場合に開閉ヒンジと反対側に位置する端部の一部が、着脱可能なキーボードとされるとともに、同端部の他の一部に重量物が内蔵された構成となっていることを特徴としている。
このような構成においては、モニタ部から本体ユニットに対して開閉ヒンジ部を介してモーメントが作用する際に、開閉ヒンジと反対側に位置する端部からキーボードを取り外したとしても、この部分に重量物が内蔵されているために、モーメントに対して十分対抗することができる。
また、この場合、重量物は、本体ユニットを駆動する電源となるバッテリーであることが望ましい。
さらに、この場合、本体ユニットが、本体側ヒンジ部およびアーム部を有しており、開閉ヒンジがアーム部に対して接続されていれば、アーム部によりモニタ部の位置を本体ユニットから立ち上げることができる。
また、この場合、本体側ヒンジ部は、アーム部を、本体ユニットに対する角度が調整可能となるように保持し、開閉ヒンジは、モニタ部をアーム部に対する角度が調整可能となるように保持するものであれば、モニタ部の本体ユニットに対する位置および角度を自在に調整することができる。
【００１６】
さらに、本発明は次のようなコンピュータ装置の発明として捉えることができる。すなわち、本発明が適用されたコンピュータ装置において、モニタユニットは、表示画面の位置を可動とするように変形可能な構成とされるとともに、その変形範囲内において本体ユニットの前部が持ち上がる方向にモーメントを作用させ、本体ユニットの上面前部は、着脱可能に形成され、本体ユニットの下面前部に対して、バッテリーを着脱可能なバッテリー収容部が設けられていることを特徴としている。
【００１７】
さらに、本発明は次のようなモニタユニットが取り付け可能なコンピュータ装置の発明として捉えることもできる。
すなわち、本発明が適用されたコンピュータ装置は、表示画面を有するモニタユニットが取り付け可能とされるとともに、表示画面を制御する制御部を内蔵した本体ユニットを備えている。そして、本体ユニットは、モニタユニットを取り付けた状態にて、モニタユニットの位置および角度を変更する際に作用するモーメントに抵抗可能に形成され、かつ、本体ユニットは、着脱可能なキーボードと、キーボードを取り外した際に本体ユニットのうちキーボードがあった部分に残留するバッテリー収容部と、を備えていることを特徴としている。
この場合、モニタユニットが、基台部と、基台部に取り付けられて、表示画面の高さ位置を調整可能な立ち上がり機構とを備えたものであり、本体ユニットには、基台部を着脱可能な受け入れ部が設けられていることが好適である。
【００１８】
【発明の実施の形態】
以下、添付図面に示す実施の形態に基づいてこの発明を詳細に説明する。
図１は、本実施の形態におけるノートブック型ＰＣ（コンピュータ装置）１１の全体構成を説明するための斜視図であって、ノートブック型ＰＣ１１の使用時の一態様を示すものである。
図１に示すノートブック型ＰＣ１１は、モニタユニット１２と本体ユニット１３とを備えている。モニタユニット１２は、表示画面１４を有するモニタ部１５と、このモニタ部１５と本体ユニット１３とを接続するヒンジ部（立ち上がり機構）１６を備えている。そして、モニタユニット１２のうちのモニタ部１５が本体ユニット１３に対して蓋として機能するとともに、図１に示すように蓋を開けた状態での使用が行われる。
本体ユニット１３の内部には、ＣＰＵ（制御部、演算部）、ハードディスクドライブ、メモリ等が収納されており、ＣＰＵにおける演算内容が表示画面１４に表示されるとともに、ＣＰＵによって表示画面１４の制御が行われるようになっている。また、本体ユニット１３は、その上面１８の前部１８ａにキーボード１９を備えるとともに、その上面１８の後部１８ｂから中央部１８ｃにかけて、ヒンジ部１６を構成するアーム部２０を収納するための凹部２１が設けられた構成となっている。
また、ヒンジ部１６は、アーム部２０と、アーム部２０を本体ユニット１３に結合するための第１のヒンジ２２と、アーム部２０とモニタ部１５とを結合するための第２のヒンジ２３とを備えている。
ここで第１のヒンジ２２および第２のヒンジ２３は、ともに、本体ユニット１３の前後方向（図中Ｘ方向）に直交する方向（Ｙ方向）の軸周りに回動可能とされている。また、アーム部２０は板状に形成されており、その前後方向（Ｘ方向）の端縁部に第１のヒンジ２２および第２のヒンジ２３の回転軸が設けられている。
第１のヒンジ２２は、本体ユニット１３の上面１８の中央部１８ｃのうち、キーボード１９よりの位置に設けられている。そして、アーム部２０が本体ユニット１３の凹部２１に収納された状態（図１に示すような状態）では回動しないようになっている。
一方、第２のヒンジ２３は、モニタ部１５の下端縁１５ａに対して結合されるとともに、アーム部２０が凹部２１に収納された状態では、本体ユニット１３の後端縁１３ａに位置するようになっている。したがって、図１に示したような状態では、第２のヒンジ２３は本体ユニット１３およびモニタ部１５を開閉するための開閉ヒンジとして機能し、これによって図１中に示すような状態（第１の状態）でノートブック型ＰＣ１１を使用することが可能となる。
なお、図１および図２から明らかなように、アーム部２０が本体ユニット１３に折り畳まれた状態では、第２のヒンジ２３が本体ユニット１３の前後方向の後部である後端縁１３ａに位置し、且つ、第２のヒンジ２３より第１のヒンジ２２の方が本体ユニット１３の前部１８ａ（キーボード１９）側に配置される。
【００１９】
図２は、図１に示した状態とされたノートブック型ＰＣ１１をその側方から見た図である。図２中に示すように、本体ユニット１３の上面１８の前部１８ａを構成するキーボード１９は、本体ユニット１３のうちの本体部２５の筐体に対して着脱可能となっており、本体部２５は、モニタ部１５に対してヒンジ部１６を介して結合されている。なお、キーボード１９を完全に取り外した際には、キーボード１９と本体ユニット１３とは、無線により交信することが可能となっている。また、本体ユニット１３の前部１３ｂのうちの下面側には、バッテリーユニット（バッテリー収容部）２６が取り付けられている。すなわち、本体ユニット１３においては、その前部１３ｂの上層部がキーボード１９により構成され、前部１３ｂの下層部にバッテリーユニット２６が内蔵された構成となっている。そして、本体ユニット１３においては、その前部１３ｂの下面側から、バッテリーユニット２６に対してＣＰＵや表示画面１４を駆動する電源部となるバッテリー（重量物）Ｂを取り付けまたは取り外しすることが可能となっている。
なお、本体ユニット１３を平面視した場合に、キーボード１９およびバッテリーユニット２６は、ともにノートブック型ＰＣ１１の開閉を司る第２のヒンジ２３と反対側の端部に位置することとなる。
【００２０】
また、このノートブック型ＰＣ１１は、図３および図４に示すような状態（第２の状態）で使用することもできる。
すなわち、図３および図４においては、アーム部２０のうち、第１のヒンジ２２に接する部分以外の部分が本体ユニット１３の凹部２１から取り外されるとともに、アーム部２０が第１のヒンジ２２を支点として立ち上げられた状態となっている。これにより、モニタ部１５の位置が図１、図２に示した状態に比較して、より上方に移動されている。
この場合、第１のヒンジ２２および第２のヒンジ２３は、所定範囲の開閉角度において自由に固定できるようになっており、これにより、第１のヒンジ２２および第２のヒンジ２３を所定角度に設定するとともにアーム部２０の位置を変更して、モニタ部１５の本体ユニット１３に対する位置あるいは角度を自由に調整することができる。なお、第１のヒンジ２２および第２のヒンジ２３は、ラッチその他の噛み合わせ機構等を用いることにより、その接合固さが、モニタ部１５を支持できるように調節されている。
なお、図３および図４から明らかなように、アーム部２０が本体ユニット１３から立ち上げられた状態では、第２のヒンジ２３が図１に示す状態よりも高い位置とされ、且つ、第１のヒンジ２２より第２のヒンジ２３の方が本体ユニット１３の前部１３ｂ側に配置されるようにすることができる。
【００２１】
さらに、ノートブック型ＰＣ１１は、図５のような状態で使用することもできる。
すなわち、このノートブック型ＰＣ１１は、図５のようにキーボード１９を取り外すとともに、本体部２５に対して係合させた状態での使用も可能となっている。ここで、本体部２５は、図６に示すように、その前部２７の両側端縁に凹状に形成されたコネクタ部２８が設けられた構成となっており、このコネクタ部２８に、キーボード１９の下面から突出する図示しないコネクタ部を接続することにより、図５に示すような状態での使用が可能となっている。
さらに、このノートブック型ＰＣ１１においては、キーボード１９を完全に取り外した状態での使用が可能となっている。キーボード１９を完全に取り外した際の本体部２５およびモニタユニット１２の状態を図７に示す。
【００２２】
なお、図６に示すように、本体部２５からキーボード１９を取り外した場合において、本体部２５は、その前部２７の内部にバッテリーユニット２６が残留する構成となっている。
本体部２５の内部構造を図８に示す。図８に示すように、本体部２５は、その前端部２５ａにバッテリーユニット２６を備えており、さらにバッテリーユニット２６の後方に、ハードディスクドライブを備えたベイ部３０やＣＰＵ（図示略）などの演算部、ＣＰＵを冷却するファン３１、ＰＣカードスロット３２等が配置された構成となっている。なお、これらの本体部２５内部の構成要素の中で、最も重量の大きい重量物は、バッテリーＢが装着された際のバッテリーユニット２６であり、したがって、バッテリーユニット２６を本体部２５の前部２７に配置することで、本体部２５（および本体ユニット１３）は、その重心が、前部２７（１３ｂ）側に位置するように構成されることとなる。
なお、ここでバッテリーユニット２６が配置される位置は、モニタユニット１２の第１のヒンジ２２が本体ユニット１３に対して接続される部分の近傍とされる。
また、図８に示すように、本体部２５の後端部３４にはデータの入出力に用いられるコネクタ類３５が配置されている。これらコネクタ類３５は、ＳＣＳＩ（Small Computer System Interface）などの、レガシー・インタフェースと呼ばれる従来からあるコネクタ類を含んで構成されている。なお、これらのコネクタ類３５は、本体ユニット１３の後端面１３ｃ（図２参照）から接続可能に配置されている。
【００２３】
次に、本実施の形態の作用を説明する。
上述のように、ノートブック型ＰＣ１１は、図１，図２、あるいは図３，図４のような状態での使用が可能であるが、図１，図２のような状態でノートブック型ＰＣ１１を用いる場合、モニタ部１５の重心が図２中Ｇｍで示すような位置にあることから、本体ユニット１３には、第２のヒンジ２３を介し、図２中Ｍ１で示すような方向のモーメントが作用する。このモーメントＭ１は、本体ユニット１３の後端面１３ｃの下端部を支点として、本体ユニット１３の前端部１３ｄ（図２参照）を上方に持ち上げる（本体ユニット１３を前部から後部に向けて下方に傾斜させる）ように作用する力であるが、特にユーザがモニタ部１５を開くとき（図２中Ａ方向に回動させるとき）には、モーメントＭ１に加えてユーザの力によるモーメントＭ２がモーメントＭ１と同方向に作用することとなる。
しかも、本体ユニット１３の前部１３ｂにおいてはキーボード１９が着脱可能となっていることから、特に、キーボード１９を取り外した場合に、本体ユニット１３の前部１３ｂの重さが軽くなり、モーメントＭ１あるいはＭ２に抵抗する力が減少すると考えられる。このような場合、ユーザがノートブック型ＰＣ１１を開くような操作をするときに本体ユニット１３の前端部１３ｄが浮き上がってしまい、操作中にユーザが本体ユニット１３の前端部１３ｄを手で抑える必要が生じることも考えられ、これによりユーザの使い勝手が大幅に低下する懸念がある。
【００２４】
しかしながら、本実施の形態においては、本体ユニット１３が、キーボード１９を取り外しても、その位置になおバッテリーユニット２６が残留するように形成されており、バッテリーユニット２６に装着された重量物たるバッテリーＢの重量により、モーメントＭ１およびＭ２に対して抵抗できるようになっている。つまり、本実施の形態においては、本体ユニット１３の本体部２５に内蔵される各構成要素のうち、バッテリーユニット２６が本体ユニット１３の前部１３ｂにレイアウトされることによって、モニタユニット１２の本体ユニット１３に対する角度を変更するときのノートブック型ＰＣ１１の転倒や本体ユニット１３の前端部１３ｄの浮き上がり等を防止することが可能となっているのである。
【００２５】
さらに、図３，図４のように、第１のヒンジ２２、第２のヒンジ２３の角度を変更し、アーム部２０の位置を変更することにより、モニタ部１５の本体ユニット１３に対する位置や角度を変更する場合においても、図４に示すように、本体ユニット１３には、第１のヒンジ２２を介して、モニタ部１５の重量に起因するモーメントＭ１’や、ユーザがモニタ部１５の位置・角度を変更する際に生じるモーメントＭ２’が作用する。しかしながら、この場合においても、本体ユニット１３の前部１３ｂに重量物たるバッテリーＢが収容されるために、上記と同様に、ノートブック型ＰＣ１１の転倒や本体ユニット１３の前端部１３ｄの浮き上がり等を防止することができる。そして、同様の効果を、本体部２５とキーボード１９を図５のように係合させた状態としたり、または図７のように完全に取り外すことにより、モーメントＭ１’およびＭ２’に対抗する力が小さくなったとしても実現することができる。
【００２６】
なお、図４に示したようにアーム部２０を立ち上げた状態とした場合には、ヒンジ部１６を含めたモニタユニット１２の可動範囲が広範囲となり、したがって、モニタ部１５の重量に起因して本体ユニット１３に働くモーメントＭ１’、あるいはユーザがモニタ部１５の位置・角度等の調整操作を行う際に本体ユニット１３に対して働くモーメントＭ２’は、さまざまな方向に作用すると考えられるが、本体ユニット１３は、どのように第１のヒンジ２２、第２のヒンジ２３の開閉角度やアーム部２０の位置を変更した場合においても、その端部が浮き上がることが無いように形成されている。これにより、常に、ノートブック型ＰＣ１１の操作時における安定性が保たれることとなる。
【００２７】
以上説明したように、本実施の形態のノートブック型ＰＣ１１においては、モニタユニット１２が本体ユニット１３に対してヒンジ部１６を介して接続されるとともに、本体ユニット１３の前部１３ｂの上面が着脱可能なキーボード１９として形成され、本体ユニット１３の前部１３ｂの下面にバッテリーを収容可能なバッテリーユニット２６が設けられている。これにより、キーボード１９を取り外した状態としたまま、モニタユニット１２をさまざまな位置・角度に配置した場合、あるいは、ヒンジ部１６の位置・角度を調整してモニタ部１５の位置・角度を調整する場合においても、本体部２５が、モニタユニット１２から作用するモーメントに対して抵抗可能であり、これにより本体ユニット１３の端部の浮き上がりを防止して安定性を確保し、ユーザによる操作性を高めることが可能である。
【００２８】
特に、本実施の形態では、本体ユニット１３に対して、モニタ部１５と本体ユニット１３との開閉を司ることとなる第２のヒンジ２３と反対側の端部にバッテリーユニット２６が設けられるために、最も力の掛かるモニタ部１５の開閉操作の際にも本体ユニット１３の安定性が確保される。
【００２９】
さらに、本実施の形態では、モニタユニット１２を立ち上げた場合においても、キーボード１９の本体ユニット１３に対する着脱状態に関わらずノートブック型ＰＣ１１を使用することができ、なおかつ、この場合にモニタユニット１２の配置状態に関わらず本体ユニット１３の安定性を確保できるように本体部２５内部の構成要素のレイアウトがなされている。したがって、モニタを立ち上げる際にキーボードの取り外しが必要な上述の従来の技術に比較して、モニタユニット１２立ち上げ時の使い勝手を向上させることができるとともに、本体ユニット１３を常に安定な状態に保つことができる。
【００３０】
また、本実施の形態では、モニタユニット１２を立ち上げた状態においてモニタユニット１２と本体ユニット１３とを接続する第１のヒンジ２２の近傍に、バッテリーユニット２６が配置されているために、モニタユニット１２および本体ユニット１３を含めたノートブック型ＰＣ１１の全体の重心を第２のヒンジ２３の近傍、すなわち、本体ユニット１３の中央部に対して配置することができ安定性がよい。
【００３１】
また、本実施の形態においては、上述の従来の技術とは異なり、本体ユニット１３を折り曲げてモニタユニット１２を立ち上げる必要がないので、本体ユニット１３の後端面１３ｃに対してコネクタ類３５を配置することができる。したがって、本体ユニット１３の側部にコネクタ類３５を配置する場合に比較して、コネクタ類３５の設置スペースを広くとることができ、レガシーポートと呼ばれる比較的サイズの大きい従来型のコネクタを設置することが可能となる。つまり、レガシーポートのサポートを可能として、ユーザの使用性を向上させることが可能となる。
【００３２】
以上において、本発明の一実施の形態を説明したが、本発明は上記実施の形態に限定されるものでなく、その趣旨を逸脱しない範囲内で他の構成を採用することが可能である。
例えば、上記実施の形態のノートブック型ＰＣ１１は、バッテリーＢをバッテリーユニット２６から外した場合に、モニタ部１５の位置や本体ユニット１３に対する角度を変更し、あるいは第１のヒンジ２２、第２のヒンジ２３の開閉角度やアーム部２０の位置を変更したとしても、本体ユニット１３の安定性が保たれるようになっている。
【００３３】
また、上記実施の形態においては、本体ユニット１３の前部１３ｂに配置すべき重量物として、本体ユニット１３内の構成要素のうち比較的重量の大きいバッテリーＢを用いることとされていたが、これに限らず、ベイ部３０やファン３１、あるいはハードディスクドライブなどの他の構成要素であって比較的重量の大きいものを本体ユニット１３の前部１３ｂ（本体部２５の前部２７）に配置してもよいし、また、これらの構成要素をバッテリーユニット２６と組み合わせて本体ユニット１３の前部１３ｂに配置するようにしてもよい。
【００３４】
さらに、上記実施の形態ではモニタユニット１２は本体ユニット１３に結合された構成とされていたが、これに限定されず、図９のようにモニタユニット１２と本体ユニット１３とが取り外し可能な構成であってもよい。
図９に示すノートブック型ＰＣ４１は、上記実施の形態のノートブック型ＰＣ１１と同様に、本体ユニット４２の前部上面に設けられたキーボード４３が着脱可能とされるとともに、キーボード４３を取り外した際に、本体ユニット４２の前部にバッテリーユニット（図示略）が残留する構成となっている。さらに、このノートブック型ＰＣ４１では、モニタユニット４４が、基台部４５と、基台部４５に取り付けられるヒンジ部（立ち上がり機構）４６と、このヒンジ部４６に接続されるとともに図示しない表示画面を備えたモニタ部４７とを有している。ヒンジ部４６は、上記実施の形態のヒンジ部１６と同様に、アーム部５０と、基台部４５とアーム部５０とを接続する第１のヒンジ５１と、アーム部５０とモニタ部４７とを接続する第２のヒンジ５２とを有した構成となっており、モニタ部４７の高さ位置を調整する立ち上がり機構として、あるいはモニタ部４７の角度を調整するための角度調整機構として機能するようになっている。
【００３５】
また、アーム部５０の基台部４５側の端部からは、ビデオ信号用のコネクタ５４と、無線ＬＡＮ信号用のコネクタ５５が延出している。一方、ノートブック型ＰＣ４１の本体ユニット４２の上面には、基台部４５を受け入れる凹状の受け部５７が形成されている。そして受け部５７内には、コネクタ５４に接続可能なコネクタ５９と、コネクタ５５に接続可能なコネクタ６０が設けられている。
【００３６】
モニタユニット４４を本体ユニット４２に接続する際には、図９に示すように、まず、モニタユニット４４の基台部４５を本体ユニット４２の受け部５７へ導入し、モニタユニット４４の基台部４５から伸びる凸部６１を、本体ユニット４２の凹部へ挿入して基台部４５の位置を合わせ、さらに、ネジ５８を用いて基台部４５を受け部５７に対してねじ止めする。さらにコネクタ５４をコネクタ５９に、コネクタ５５をコネクタ６０に接続することによってモニタユニット４４を本体ユニット４２に取り付ける。さらに、コネクタ類が露出した受け部５７を図示しないカバーにより覆うことによって、本体ユニット４２に対してモニタユニット４４を取り付けることができる。
このような構成のノートブック型ＰＣ４１においても、上記実施の形態と全く同様の作用・効果を得ることができる。
【００３７】
また、上記実施の形態において、モニタユニット１２は、ヒンジ機構として機能するヒンジ部１６によりモニタ部１５の位置が立ち上げられる構成となっていたが、これに限定されず、モニタ部１５の位置あるいは角度を調整可能な他の機構を採用するようにしてもよい。
また、これ以外にも、本発明の趣旨を逸脱しない限り、上記実施の形態で挙げた構成を取捨選択したり、他の構成に適宜変更することが可能である。
【００３８】
【発明の効果】
以上説明したように、本発明によれば、ユーザによるモニタの見易さを確保しつつ、コンピュータ装置の安定性を高めることができる。また、こうしたコンピュータ装置に種々のコネクタを設けてユーザの使い勝手を向上させることが可能となる。
【図面の簡単な説明】
【図１】  本発明の実施の形態であるノートブック型ＰＣの一使用態様を示す斜視図である。
【図２】  図１の状態とされたノートブック型ＰＣの側面図である。
【図３】  図１、図２に示したノートブック型ＰＣのヒンジ部を立ち上げた際の状態を示す斜視図である。
【図４】  図３の状態とされたノートブック型ＰＣの側面図である。
【図５】  図１、図２に示したノートブック型ＰＣのキーボードを一部取り外した際の状態を示す斜視図である。
【図６】  同、ノートブック型ＰＣの本体ユニットの本体部の斜視図である。
【図７】  同、ノートブック型ＰＣのキーボードを完全に取り外した際の状態を示す斜視図である。
【図８】  同、本体ユニットの内部の各要素のレイアウトを示す斜視図である。
【図９】  本発明の他の実施の形態を示すノートブック型ＰＣの分解斜視図である。
【図１０】  従来のノートブック型ＰＣの斜視図である。
【図１１】  図１０に示したノートブック型ＰＣの他の使用態様を示す斜視図である。
【符号の説明】
１１，４１…ノートブック型ＰＣ（コンピュータ装置）、１２，４４…モニタユニット、１３，４２…本体ユニット、１３ｂ…前部、１３ｃ…後端面、１４…表示画面、１５，４７…モニタ部、１６，４６…ヒンジ部（立ち上がり機構）、１８…上面、１８ａ…前部、１８ｂ…後部、１８ｃ…中央部、１９，４３…キーボード、２０，５０…アーム部、２１…凹部、２２，５１…第１のヒンジ、２３，５２…第２のヒンジ、２５…本体部（筐体）、２６…バッテリーユニット（バッテリー収容部）、２７…前部、３５…コネクタ類、Ｂ…バッテリー（重量物）
【図１】
0003661786.tif 000002
【図２】
0003661786.tif 000003
【図３】
0003661786.tif 000004
【図４】
0003661786.tif 000005
【図５】
0003661786.tif 000006
【図６】
0003661786.tif 000007
【図７】
0003661786.tif 000008
【図８】
0003661786.tif 000009
【図９】
0003661786.tif 000010
【図１０】
0003661786.tif 000011
【図１１】
0003661786.tif 000012